(57)【要約】【課題】遊技機装置に貯蔵された貨幣を回収するための開錠処理を行う際に、効果的に記録処理を行うことが出来る遊技場用システムを提供する。【解決手段】単数の貸出機２を開錠状態とする個別開錠には撮像画像を記録しない一方、複数の貸出機２を一斉に開錠状態とする一斉開錠時に撮像画像を記録することで、開錠状態となるたびに撮像画像が記録されることを防止するようにした。これにより、撮像用のカメラ７を振回したり、履歴が多数記録される等の無闇な記録処理が行われたりすることを防止出来、より適切に開錠記録処理を行うことが可能となる。【選択図】図１
2015054118.tif 000002
【特許請求の範囲】
【請求項１】
遊技機に対応して設けられ、対価となる貨幣を受付ける貨幣受付処理、及びその受付けた貨幣を対価として遊技機を遊技するために消費可能な遊技価値を付与するための対価付与処理を行う遊技機装置であって、前記貨幣受付処理により受付けた貨幣を貯蔵する貯蔵部を、予め設定される開錠条件の成立に応じて貯蔵された貨幣を回収可能な開錠状態とすることが可能な遊技機装置を少なくとも含む遊技場用システムであって、
前記遊技機装置が前記開錠状態となったことを検出する開錠検出手段と、
前記開錠状態が検出された場合に、その開錠状態が単数の遊技機装置を対象とした個別開錠であるのか、複数の遊技機装置を対象とした一斉開錠であるのかを特定する開錠種特定手段と、
前記開錠状態が検出された場合に、当該開錠状態に対応した所定の記録処理である開錠記録処理を行う開錠記録処理手段と、
前記開錠状態が検出され、当該検出された開錠状態が前記個別開錠である旨が特定された場合には前記開錠記録処理を許容する一方、当該検出された開錠状態が前記一斉開錠である旨が特定された場合には前記開錠記録処理を実行させないこと、及び前記個別開錠に応じた開錠記録処理とは異なる前記開錠記録処理である一斉開錠記録処理を実行させることの少なくとも一方を行うことで、前記個別開錠に応じた前記開錠記録処理を前記開錠状態が検出された遊技機装置分だけ行われることを抑制する抑制処理を行う抑制手段と、
を備えたことを特徴とする遊技場用システム。
【請求項２】
前記開錠記録処理手段は、前記個別開錠に応じた開錠記録処理として該当遊技機装置の周辺を撮像する撮像処理を実行し、
前記抑制手段は、前記撮像処理を実行させないこと、或いは複数の遊技機装置の周辺を撮像出来るように前記個別開錠に応じた開錠記録処理よりも縮小した構図にて撮像させることにより前記抑制処理を行うことを特徴とする請求項１記載の遊技場用システム。
【請求項３】
前記遊技機装置から出力される前記貯蔵部に貯蔵された貨幣額である貯蔵額を特定可能な遊技信号を受信し、前記貯蔵額を特定可能な貯蔵情報を特定する遊技情報特定手段と、
前記撮像処理により撮像した画像を表示可能であり、当該画像を表示する場合に前記遊技情報特定手段により特定された前記貯蔵情報を、当該撮像した画像に重畳して表示する表示手段と、
を備えたことを特徴とする請求項２記載の遊技場用システム。
【請求項４】
前記開錠条件は単数、或いは複数の遊技機装置を指定して開錠を指示する開錠指示に応じて出力される開錠信号を前記遊技機装置が受信することにより成立する第１開錠条件と、前記遊技機装置を直接操作することにより成立する第２開錠条件とがあり、
前記遊技機装置は、前記第１開錠条件、及び前記第２開錠条件のいずれが成立した場合であっても前記開錠状態とすることが可能で、
前記開錠検出手段は、単数の遊技機装置が指定されることにより前記第１開錠条件が成立した場合、或いは前記第２開錠条件が成立した場合に、前記個別開錠である旨を特定する一方、複数の遊技機装置が指定されることにより前記第１開錠条件が成立した場合には前記一斉開錠である旨を特定することを特徴とする請求項１から３のいずれか一項に記載の遊技場用システム。
【請求項５】
前記開錠条件は単数、或いは複数の遊技機装置を指定して開錠を指示する開錠指示に応じて出力される開錠信号を前記遊技機装置が受信することにより成立する第１開錠条件と、前記遊技機装置を直接操作することにより成立する第２開錠条件とがあり、
前記遊技機装置は、前記第１開錠条件、及び前記第２開錠条件のいずれが成立した場合であっても前記開錠状態とすることが可能で、
前記開錠検出手段は、前記遊技機装置が開錠状態となった場合に、当該開錠状態が前記第１開錠条件、及び前記第２開錠条件のいずれの成立により開錠状態となったかを特定し、前記第２開錠条件の成立により開錠状態となった遊技機装置が複数ある場合には、その開錠状態となった期間が予め設定される所定期間内であるか否かを判定することで両者の開錠が対応する旨を特定し、
前記開錠種特定手段は、前記第２開錠条件の成立により開錠状態となった場合には、前記第１開錠条件が成立した場合に一斉開錠である旨を特定する最低の遊技機装置数よりも多くの遊技機装置数が、前記開錠検出手段により対応する旨が特定されることを条件として一斉開錠が行われた旨を特定することを特徴とする請求項１から３のいずれか一項に記載の遊技場用システム。
【発明の詳細な説明】
【技術分野】
【０００１】
本発明は、投入された貨幣を貯蔵する遊技機装置を備えた遊技場用システムに関する。
【背景技術】
【０００２】
遊技場では遊技者から受付けた貨幣を対価として遊技媒体を貸出す貸出機を遊技機に対応して設け、遊技者から貨幣を徴収するようにしている。そして、例えば閉店後等に特許文献１のように複数の貸出機を一斉に貨幣回収状態とする一斉開錠を行い、遊技者から徴収した貨幣を回収するようにしている。
【先行技術文献】
【特許文献】
【０００３】
【特許文献１】特許第４７０８６８９号公報
【発明の概要】
【発明が解決しようとする課題】
【０００４】
さて、遊技場では、貸出機に貯蔵した貨幣を不正に抜き出す不正者を監視するために、貸出機の周辺を監視するカメラ等の撮像装置を設けて、貸出機が貨幣回収状態となった場合に撮像したり、回収状態とした旨をその時刻と共に履歴形式で記録したりする記録処理を行っているが、上記のように一斉開錠を行った場合にも記録処理を行うと、不正ではない可能性が低い一斉開錠時に記録処理が無闇に増加することで、カメラを振回すことになる等、システム的な負担が増加するだけでなく、本来の不正の可能性が高い貨幣回収状態に対応した記録処理が、一斉開錠に伴う記録処理に埋もれてしまい、本来の検出機能を損なう虞があるため、状況や時刻等に関わらず記録処理を行わないようにしていた。
【０００５】
本発明は上記事情に鑑みてなされたもので、その目的は、遊技機装置に貯蔵された貨幣を回収するための開錠処理を行う際に、効果的に記録処理を行うことが出来る遊技場用システムを提供することにある。
【課題を解決するための手段】
【０００６】
本発明は、遊技機に対応して設けられ、対価となる貨幣を受付ける貨幣受付処理、及びその受付けた貨幣を対価として遊技機を遊技するために消費可能な遊技価値を付与するための対価付与処理を行う遊技機装置であって、前記貨幣受付処理により受付けた貨幣を貯蔵する貯蔵部を、予め設定される開錠条件の成立に応じて貯蔵された貨幣を回収可能な開錠状態とすることが可能な遊技機装置を少なくとも含む遊技場用システムであって、
前記遊技機装置が前記開錠状態となったことを検出する開錠検出手段と、前記開錠状態が検出された場合に、その開錠状態が単数の遊技機装置を対象とした個別開錠であるのか、複数の遊技機装置を対象とした一斉開錠であるのかを特定する開錠種特定手段と、前記開錠状態が検出された場合に、当該開錠状態に対応した所定の記録処理である開錠記録処理を行う開錠記録処理手段と、前記開錠状態が検出され、当該検出された開錠状態が前記個別開錠である旨が特定された場合には前記開錠記録処理を許容する一方、当該検出された開錠状態が前記一斉開錠である旨が特定された場合には前記開錠記録処理を実行させないこと、及び前記個別開錠に応じた開錠記録処理とは異なる前記開錠記録処理である一斉開錠記録処理を実行させることの少なくとも一方を行うことで、前記個別開錠に応じた前記開錠記録処理を前記開錠状態が検出された遊技機装置分だけ行われることを抑制する抑制処理を行う抑制手段と、を備えたものである（請求項１）。
【０００７】
請求項１記載の遊技場用システムにおいて、
前記開錠記録処理手段は、前記個別開錠に応じた開錠記録処理として該当遊技機装置の周辺を撮像する撮像処理を実行し、前記抑制手段は、前記撮像処理を実行させないこと、或いは複数の遊技機装置の周辺を撮像出来るように前記個別開錠に応じた開錠記録処理よりも縮小した構図にて撮像させることにより前記抑制処理を行うようにしても良い（請求項２）。
【０００８】
請求項２記載の遊技場用システムにおいて、
前記遊技機装置から出力される前記貯蔵部に貯蔵された貨幣額である貯蔵額を特定可能な遊技信号を受信し、前記貯蔵額を特定可能な貯蔵情報を特定する遊技情報特定手段と、
前記撮像処理により撮像した画像を表示可能であり、当該画像を表示する場合に前記遊技情報特定手段により特定された前記貯蔵情報を、当該撮像した画像に重畳して表示する表示手段と、を備えるようにしても良い（請求項３）。
【０００９】
請求項１から３のいずれか一項に記載の遊技場用システムにおいて、
前記開錠条件は単数、或いは複数の遊技機装置を指定して開錠を指示する開錠指示に応じて出力される開錠信号を前記遊技機装置が受信することにより成立する第１開錠条件と、前記遊技機装置を直接操作することにより成立する第２開錠条件とがあり、前記遊技機装置は、前記第１開錠条件、及び前記第２開錠条件のいずれが成立した場合であっても前記開錠状態とすることが可能で、前記開錠検出手段は、単数の遊技機装置が指定されることにより前記第１開錠条件が成立した場合、或いは前記第２開錠条件が成立した場合に、前記個別開錠である旨を特定する一方、複数の遊技機装置が指定されることにより前記第１開錠条件が成立した場合には前記一斉開錠である旨を特定するようにしても良い（請求項４）。
【００１０】
請求項１から３のいずれか一項に記載の遊技場用システムにおいて、
前記開錠条件は単数、或いは複数の遊技機装置を指定して開錠を指示する開錠指示に応じて出力される開錠信号を前記遊技機装置が受信することにより成立する第１開錠条件と、前記遊技機装置を直接操作することにより成立する第２開錠条件とがあり、前記遊技機装置は、前記第１開錠条件、及び前記第２開錠条件のいずれが成立した場合であっても前記開錠状態とすることが可能で、前記開錠検出手段は、前記遊技機装置が開錠状態となった場合に、当該開錠状態が前記第１開錠条件、及び前記第２開錠条件のいずれの成立により開錠状態となったかを特定し、前記第２開錠条件の成立により開錠状態となった遊技機装置が複数ある場合には、その開錠状態となった期間が予め設定される所定期間内であるか否かを判定することで両者の開錠が対応する旨を特定し、前記開錠種特定手段は、前記第２開錠条件の成立により開錠状態となった場合には、前記第１開錠条件が成立した場合に一斉開錠である旨を特定する最低の遊技機装置数よりも多くの遊技機装置数が、前記開錠検出手段により対応する旨が特定されることを条件として一斉開錠が行われた旨を特定するようにしても良い（請求項５）。
【発明の効果】
【００１１】
請求項１の発明によれば、一斉開錠時には開錠記録処理が抑制されるので、撮像用のカメラを振回したり、履歴が多数記録される等の無闇な記録処理が行われたりすることを防止出来、より適切に開錠記録処理を行うことが可能となる。
【００１２】
請求項２の発明によれば、不正を行う際、一斉開錠を行うことは想定し難く、遊技機装置単位で開錠状態とすることが想定されるが、その不正が行わる可能性の高い個別開錠時には撮像する一方、不正が行われる可能性の低い一斉開錠時には撮像しないまたは縮小した構図にて撮像することで、不正が行われる可能性に見合ったより適切な撮像処理が可能となる。
【００１３】
請求項３の発明によれば、貯蔵情報が撮像画像に重畳して表示されるので、回収対象となる貨幣額や不正により被害にあった貨幣額等を画像と共に確認可能となる。
請求項４の発明によれば、一斉開錠が行われる場合として、開錠信号により開錠する等のルールを遊技場にて決めることで、一斉開錠を意図した開錠をより正確に特定し得るようになるので、そのような運用をより適切にサポート出来る。
【００１４】
請求項５の発明によれば、遊技場の中には、運用方法等の理由により開錠信号を用いずに遊技機装置を直接操作して、正規の貨幣回収を行う遊技場もあるので、開錠信号に依らないことをもって一斉開錠を特定しないと本来の目的を逸することになり得る。また、開錠信号により開錠状態とする場合と、遊技機装置を直接操作して開錠状態とする場合との不正が行われる可能性は後者の方が高い。そして、その不正が行われる可能性の高い後者の一斉開錠の特定を、不正が行われる可能性の低い前者よりも厳しく判定するようになるので、上記のような運用の遊技場においてもより適切に記録処理を実行可能となる。
【図面の簡単な説明】
【００１５】
【図１】本発明の一実施形態における遊技場用システムを概略的に示す図
【図２】リールの展開図
【図３】役と入賞図柄と払出との関係を示す図
【図４】有効ラインを示す図
【図５】役に対応した内部当選数を示す図
【図６】金庫扉の閉鎖状態で示す貸出機上部の正面図
【図７】金庫扉の開放状態で示す貸出機上部の正面図
【図８】カメラによる撮像画像例を示す図
【図９】貸出機情報を示す図
【図１０】履歴情報を示す図
【発明を実施するための形態】
【００１６】
以下、本発明の一実施形態による遊技場用システムについて図面を参照しながら説明する。
図１は遊技場用システムを概略的に示している。遊技場用システムが設けられている遊技場内には、例えばスロットマシンやパチンコ遊技機等の多数の遊技機１（図１はスロットマシンを示す）が設置されている。各遊技機１には貸出機２（遊技機装置、開錠検出手段に相当）がそれぞれ付設されている。これら遊技機１及び貸出機２は、２台ずつ中継装置３に接続されている。中継装置３は、ＬＡＮ４を介して管理装置５に接続しており、遊技機１や貸出機２等の遊技機１側の機器から出力される後述する遊技信号を管理装置５（開錠種特定手段、開錠記録処理手段、抑制手段、遊技情報特定手段に相当）に送信（中継）する。管理装置５は、遊技場内の例えば事務所等に設置されており、遊技機１の遊技情報を管理している。管理装置５が管理する遊技情報は、例えばモニタ６（表示手段）等に表示出力される。このような遊技場内には、例えば数百台の遊技機１が設置されており、管理装置５の管理対象となっている。
【００１７】
一方、遊技場には管理装置５により操作される監視用のカメラ７が設置されている。このカメラ７は島単位（例えば向い合わせの複数の島単位でも良い）で１台、或いは複数台を対応付け、貸出機２を撮像するための構図（アングル）を予め貸出機２を特定するための貸出機ＩＤと対応付けて設定されている。管理装置５は、対象となる貸出機ＩＤにてイベント（撮像契機事象）が発生した際に、対応する構図となるようにカメラ７をパン、チルトして調整する。尚、カメラ７の設置方法としては、例えば島の上方に設ける等して貸出機２や遊技機１と１：１にて対応する等、遊技機１に対応していればどのような設置方法であっても良い。
【００１８】
遊技機１はスロットマシンであり、表示窓８、スタートレバー９、リール１０、ストップ釦１１ａ〜１１ｃ、メダル投入口１２、ＢＥＴ釦１３、受皿１４等を備えている。遊技機１は、図２に示すように、左リール１０ａ、中リール１０ｂ及び右リール１０ｃの円周面に図柄が描かれており、表示窓８を通じて視認可能となっている。これらの図柄は、各リール１０ａ〜１０ｃが停止した状態では、表示窓８の上段、中段及び下段に対応して停止表示される。つまり、遊技機１には、各リール１０ａ〜１０ｃそれぞれについて３図柄ずつ、合計９図柄分の図柄表示領域が形成されている。遊技機１は、周知のように、メダル投入口１２からのメダル（遊技価値）の投入やＢＥＴ釦１３を操作することによるクレジットメダル（遊技価値）の投入によりメダルが投入された状態でスタートレバー９が操作されると（ゲームが開始されると）、内部抽選を実行すると共にリール１０ａ〜１０ｃの変動を開始させる。そして、遊技者によるストップ釦１１ａ〜１１ｃの操作に応じて所謂引込制御（予め規定された引込範囲例えば４図柄までにある図柄を有効ライン上に引込んで停止表示させる制御）によってリール１０ａ〜１０ｃの変動を停止する。
【００１９】
遊技機１には、図３に示すように、所謂ボーナス役としてのＢＢ（ビッグボーナス）役及びＲＢ（レギュラーボーナス）役、所謂小役としての５枚役（ボーナス状態では１５枚役）、７枚役、及びリプレイ役が設定されている。また、遊技機１には、図４に示すように、合計５本（表示窓８の上段、中段及び下段に対応した横方向に１本ずつの３本、並びに斜め方向の２本）の有効ライン１〜５が設けられている。遊技機１は、ゲームが開始され、遊技者によるストップ釦１１ａ〜１１ｃの操作によってこれらの有効ライン１〜５のうち何れかの有効ライン上に内部当選役に対応する図柄が揃ったとき、即ち、有効ライン上に停止表示された図柄の組合せが内部当選役に対応する図柄の組合せと一致したとき、入賞となる。そして、入賞となった場合には、ＢＢ状態やＲＢ状態の発生、或いは、対応する枚数のメダルの払出（遊技価値の付与）が行われる。
【００２０】
遊技機１は、ゲーム開始時の内部抽選において、０〜６５５３５の間で発生する乱数のうち１つを抽出し、抽出した乱数と図示しない抽選テーブルとを照合することにより、内部当選であるか否かを判定している。遊技機１は、図５に示すように、通常状態では、ＢＢ役及びＲＢ役に対して２５６個、５枚役にそれぞれ４０９６個、７枚役に８１９２個、２枚役に６５６個、リプレイ役に８９７８個、はずれに４３１０２個の乱数が割り振られている。また、ボーナス状態では、１５枚役にほぼ全ての乱数が割り振られている。また、図示しないが複数段階の出玉率に対応した設定値に応じた内部当選テーブルが設けられ、設定値を変更することで対象となる内部当選テーブルを変更可能であり、内部当選した場合、ボーナス役は入賞するまで内部当選役とする一方、ボーナス役以外は内部当選したゲームのみ内部当選役とし、通常時のＢＥＴは３枚でボーナス時は２枚（いずれも固定）であるなど周知の構成を採用しているが、上記は単なる例示で遊技機としては、どのようなスロットマシンを対象としても良いし、パチンコ遊技機を対象としても良い。
【００２１】
遊技機側からは遊技に伴って次の遊技信号が出力される。
アウト信号＝遊技機１から出力。開始操作に応じベット状態のメダルを消費したとしてベット状態のメダル数（３枚）分がパルス出力されるので、アウト信号数×１がアウト（消費価値）となる。尚、リプレイ時にも対応分を出力。
セーフ信号＝遊技機１から出力。メダルが１枚払出される毎に１パルス出力されるので、セーフ信号数×１がセーフ（入賞付与価値）となる。尚、リプレイ役入賞時にも、そのゲームに使用されたメダル分を出力。
ＢＢまたはＲＢ信号＝遊技機１から出力。対応するボーナス状態（ＢＢ、ＲＢ）時にレベル出力されるので、信号受信期間をボーナス状態として特定する。
【００２２】
管理装置５は、ＣＰＵ、ＲＯＭ、ＲＡＭ、ＨＤＤ、Ｉ／Ｏを有するマイクロコンピュータにより構成される制御部、遊技機１や貸出機２との間で各種信号や各種情報を送受信する送受信部等を備え、遊技機側から出力された遊技信号（アウト信号、セーフ信号、ＢＢ信号、ＲＢ信号）や貸出機２から出力された売上信号を受信すると、遊技機１の遊技情報（アウト、セーフ、差メダル、ＢＢ回数、ＲＢ回数等）を集計したり売上情報を算出したりする。
【００２３】
貸出機２は、図１に示すように遊技者が貨幣を入金するための貨幣投入口１５、遊技者が一般カードを挿入するためのカード挿入口１６、メダルを払出すための貸出釦１７、一般カードを発行するための返却釦１８、各種情報を表示する表示部１９、リモコン２０からの信号を受信する受信部２１、メダルを遊技機１の受皿１４に払出す払出ノズル２２等を備えている。貸出機２は、ＣＰＵ、ＲＯＭ、ＲＡＭ、Ｉ／Ｏを有するマイクロコンピュータにより構成される制御部により動作する。
【００２４】
貸出機２は次のように動作する。
貨幣が貨幣投入口１５に入金されると貨幣を受付け（貨幣受付処理に相当）、その残高を表示部１９に表示し、貸出釦１７が押下（貸出操作）されると、貸出１単位（例えば１０００円分）のメダル（対価付与価値）を払出ノズル２２から払出し（対価付与処理に相当）、その対価分を残高から引き落とす。この場合、貨幣は複数回分の貸出処理の対応分（例えば１万円まで）を受付け可能である。残高が残存する状態で返却釦１８が押下（発行操作）されると、残高を特定可能な一般カードをカード挿入口１６から発行する。入金や残高に応じて管理装置５が後述するように管理する情報を更新可能なデータ信号を送信するが、例えば、売上メダル５枚（１００円相当）毎に１パルス出力するようなパルス信号等を出力対象としても良い。尚、図示しないが貸出機２に所謂各台計数機能を用いても良い。
【００２５】
図６及び図７は貸出機２上部の拡大図であり、図６が貸出機２上部の前面に設けられた金庫扉２３を閉鎖した通常の状態（施錠状態）を示し、図７が金庫扉２３を開錠した貨幣回収状態（開錠状態）とした上で開放した開放状態を示している。
貸出機２は、図７に示すように、貨幣投入口１５から投入された貨幣２４を受付けて貨幣貯蔵部２５（貯蔵部に相当）にて貯蔵する。金庫扉２３は、図６に示す金庫扉鍵穴２６への鍵の挿入操作、従業員が携帯するリモコン２０から開錠信号、或いは管理装置５から開錠指令を受付ける等の開錠条件が成立した場合に、貸出機２を貨幣貯蔵部２５に貯蔵された貨幣２４を回収可能な開錠状態とする。つまり、金庫扉鍵穴２６への鍵の挿入に応じた機械的な開錠操作（第２開錠条件に相当）の他、リモコン２０からの開錠信号の受信、または管理装置５から開錠操作による開錠信号を受信することに応じた図示しないモータによる電気的な開錠（金庫扉鍵穴２６の回転）が可能となっている（第１開錠条件に相当）。
【００２６】
金庫扉２３は、開錠状態では、図６に示す金庫扉支点２７を中心として前方へと回動することで開放し、開放すると図７に示すように貨幣２４を実際に回収可能な開放状態となる。回収時は上方へと付勢される弾性部材２８により支持されるトレイ２９を下方へと引下げて貨幣２４を回収する。尚、トレイ２９には、貨幣２４を下方から支持する半球状の支持体３０が配置されている。
【００２７】
貸出機２には金庫扉鍵穴２６に対応して図示しない開錠センサ設けられている。この開錠センサは、貸出機２が開錠状態になった旨を検知可能で、検知した場合には管理装置５へと開錠条件（リモコン２０または管理装置５による開錠）を特定可能な開錠信号を送信する。開錠信号を受信した管理装置５は開錠状態となったイベントが発生したとして後述する情報を更新すると共に必要に応じてカメラ７による撮像（撮像処理）等を行う。
【００２８】
尚、開錠信号として開錠条件を特定可能であれば開錠状態になった旨も特定出来るので、必ずしも開錠状態となった旨を送信する必要はなく、いずれの開錠条件が成立したかのみを示す情報を送信しても良い。また、リモコン２０からの開錠信号は従業員、及び店舗の少なくとも一方に対応したリモコンＩＤを特定可能であり、そのリモコンＩＤが予め登録された許容されるべきＩＤである場合に開錠状態へと制御する。
開錠条件として管理装置５から開錠指令を送る場合には複数の貸出機２を一斉に開錠状態とする一斉開錠が可能である一方、鍵による挿入操作やリモコン２０或いは管理装置５からは単数の貸出機２を開錠状態とする個別開錠も可能である。
【００２９】
管理装置５は本発明に関連して貸出機情報及び履歴情報を記憶する記憶領域を備えている。貸出機情報は貸出機単位で記憶し、履歴情報は開錠信号の受信に応じて対応する遊技情報をレコード単位で記憶する。
管理装置５は、個別開錠に対応した開錠信号を受信すると、後述する貸出機情報及び履歴情報を更新（開錠記録処理に相当）すると共に島端に設けられるカメラ７にて、開錠状態にある貸出機２の周辺を図８に示すように撮像する。つまり、カメラ７による撮像は個別開錠のみが対象となり一斉開錠は対象外となる。また、個別開錠と一斉開錠とは後述するように記録処理（記憶処理）が異なる。
【００３０】
図９は貸出機情報を示しており、次の各項目が設定されている。
貸出機ＩＤ＝対応する貸出機２（遊技機１でも良い）のＩＤ。
入金＝貸出機２にて受付けた金額（貯蔵情報に相当）。
売上＝貸出処理により対価となった金額。
受付額＝一般カードにより受付けた金額。
発行額＝一般カードにより発行した金額。
残高＝貸出機２にて遊技者が利用可能な金額（入金−売上＋受付額−発行額）。
回収額（貯蔵情報に相当）＝貸出機２を開錠状態とした際に回収された金額。
残金（貯蔵情報に相当）＝貸出機２に残っている金額（入金−回収額）。
開錠回数＝貸出機２が開錠状態となった回数。
尚、回収額は開錠状態となった際の残金を開錠状態終了後に回収額とするが、この場合、鍵の挿入により開錠した場合等の回収許可条件が成立しない場合には残金を回収額としない一方、リモコン２０や管理装置５からの開錠信号を受信する等して回収許可条件が成立した場合には残金回収額とする等しても良い。
【００３１】
図１０は履歴情報を示しており、次の各項目が設定されている。
時刻＝イベントの発生時刻。
入金、残金、開錠回数＝イベントの発生時点の貸出機情報の値。
画像＝「有」が画像を撮像したことを示し、「有」を選択すると履歴レコードの指定操作が行われたとして撮像した画像を再生する。尚、「無」は画像を撮像していないことを示す。
開錠条件＝開錠状態とした際に成立した条件に対応した「リモコン」、「管理装置」、「無」が記憶される。尚、「無」の場合は鍵の挿入は特定出来ないため、鍵の挿入が対象となるが、不正に開錠状態となった場合も含まれる。
【００３２】
ここで、ＮＯ．１０６やＮＯ．１０７のレコードは貸出機ＩＤが「１−５０」というように１つのＩＤのみを示していないが、これは貸出機ＩＤ１〜５０というように複数の貸出機２が開錠状態となった旨（一斉開錠）を示している。この複数の貸出機２を開錠状態とする一斉開錠を行うための操作（一斉開錠操作）は管理装置５のみ操作可能であり、一斉開錠は撮像対象とならないので画像も「無」（抑制処理に相当）となる。また開錠回数は一斉開錠として何回目の一斉開錠が行われたかを示しているため、他の単数の貸出機２を開錠する個別開錠のように貸出機ＩＤ単位での開錠回数に関わりなく開錠回数が記憶される。
尚、図１０では貸出機ＩＤが単数であるか複数であるかにより個別開錠か一斉開錠かを示しているが、別途、その旨を示す情報を記憶したり、貸出機ＩＤを記憶することなくその旨を記憶するだけとして、いずれの開錠かを識別可能としても良い。
【００３３】
図８は貸出機２を開錠状態とすることに応じてカメラ７により撮像した画像例である。撮像対象は貸出機２、及びその周辺であり、開錠状態となった貸出機２から現金を回収する人物を撮像する。
画像には「貸出機開錠!!」というイベント名と、貸出機ＩＤと、その発生時刻が表示されると共に、対象となる貸出機２の入金額、回収済額、及び回収対象となる残金等の関連情報が重畳して表示される。
このような画像はイベント発生時に管理装置５のモニタ６や別途設けられる監視表示機に表示されるだけでなく、図１０の履歴情報にて対応する履歴レコードの指定操作を行うことによっても再生可能である。
尚、撮像画像は静止画であっても動画であっても良いが、静止画であれば１つのイベントに対して複数枚撮像することが望ましい。
【００３４】
また、管理装置５のみ一斉開錠操作を可能としたが、例えばリモコン２０により一斉開錠操作を行っても良い。更に一斉開錠か否かを操作時に複数の貸出機２が選択されたか否かを判定することを例示したが、開錠センサ等により開錠されたことが所定期間内に複数あった場合に一斉開錠と判定しても良いし（請求項５に対応）、一斉開錠操作以外は時間が近似しようとも一斉開錠と判定しないようにしても良い。尚、所定期間の判定としては複数の貸出機２が開錠状態となった開始時期が所定期間内であること、先に開錠状態となった貸出機２の開錠状態が終了してから所定期間内に次の貸出機２が開錠状態となったこと、或いは開錠状態となった期間の少なくとも一部が重複すること等が想定される。
【００３５】
更に一斉開錠操作では複数の貸出機２（２台以上）を選択することを条件として一斉開錠と特定する一方、開錠センサ等のその他の検知では、予め設定される基準値（例えば３台）以上である場合に一斉開錠として特定するというように、検出方法により異なる台数を閾値として一斉開錠か否かを判定しても良く、この場合、上記したように一斉開錠操作により一斉開錠である旨を特定する最低の貸出機数よりも多くの貸出機２が、その他の検知により検知されることを条件として一斉開錠が行われた旨を特定することが望ましい。
【００３６】
また、開店状態（所定の開店操作が行われてから所定の閉店操作が行われるまで、または所定の開店時刻から所定の閉店時刻まで）では一斉開錠であるか否を問わずに記録処理を行う一方、開店状態ではない閉店状態では一斉開錠であるか否かにより記録処理を行うか否かを特定しても良い。
【００３７】
更に、一斉開錠であるか否かを管理装置５やリモコン２０による電子的な開錠操作では開店状態であるか否かに関わらず判定する一方、開錠センサ等のその他の検知では閉店状態であることを条件として判定しても良く、この場合、不正が行われる虞が高いその他の検知方法では不正により連続して開錠状態となった場合に無闇に記録処理を抑制する虞を防止出来る。
【００３８】
このような実施形態によれば、次のような効果を奏することが出来る。
単数の貸出機２を開錠状態とする個別開錠には撮像画像を記録しない一方、複数の貸出機２を一斉に開錠状態とする一斉開錠時に撮像画像を記録することで、開錠状態となるたびに撮像画像や履歴情報等が記録されることを防止、或いは異なる処理とする等して抑制するようにしたので、撮像用のカメラ７を振回したり、履歴が多数記録される等の無闇な記録処理が行われたりすることを防止出来、より適切に開錠記録処理を行うことが可能となる。
【００３９】
不正を行う際、一斉開錠を行うことは想定し難く、貸出機２単位で開錠状態とすることが想定されるが、その不正が行わる可能性の高い個別開錠時には撮像する一方、不正が行われる可能性の低い一斉開錠時には撮像しないことで、不正が行われる可能性に見合ったより適切な撮像処理が可能となる。
撮像時に回収対象となる残金となる貨幣を撮像画像に重畳して表示するようにしたので、回収対象となる貨幣額や不正により被害にあった貨幣額等を画像と共に確認可能となる。
複数の貸出機２を指定して開錠する場合に一斉開錠と判定する一方、単数の貸出機２を指定して開錠する場合、或いは貸出機２を直接操作して開錠する場合に個別開錠と判定するようにしたので、一斉開錠が行われる場合として、開錠信号により開錠する等のルールを遊技場にて決めた場合の運用をより適切にサポート出来る。
【００４０】
（その他の実施形態）
本発明は、上記実施形態に限定されることなく、次のように変形または拡張できる。
貨幣は紙幣だけでなく硬貨であっても勿論良く、実施形態上、貨幣を対応額に応じて特に区別することなく管理したが、例えば図９のような貸出機情報にて対応額別に入金や貯蔵、或いは回収された貨幣の枚数を管理しても良い。
開錠状態の検出を貸出機２により行ったが、例えば管理装置５にて開錠操作を行ったこと等により管理装置５にて開錠状態となったと見做して開錠状態となったことを特定しても良い。
開錠条件の成立を特定することとして金庫扉２３が開錠した状態を直接特定することを例示したが、金庫扉２３が開放すれば開錠状態にあることを特定出来るため、貸出機２等の金庫扉が開放したことを検知する開放センサを設け、金庫扉の開放を検知した場合に間接的に開錠条件が成立した旨を特定するようにしても良い。
【００４１】
一斉開錠時に個別開錠に対応した開錠対応処理を抑制する場合があれば、例えば２台の場合は一斉開錠と判定せず、３台以上の場合のみ一斉開錠と判定する等、複数の貸出機２を開錠状態とした場合に開錠対応処理を対応台数分行う場合があっても良く、その閾値は適宜設定すれば良い。
図１０にて一斉開錠時には個別開錠時とは異なる記録処理を行うことを例示したが、記録処理自体を行わないようにしても良い。また、カメラ７に一斉開錠時における複数の貸出機２周辺を撮像可能であり個別開錠時よりもズームアウト（縮小）した状態となる構図を予め設定しておき、一斉開錠時にはその構図にて撮像するようにしても良い。
記録処理として遊技情報の記録と画像の記録とを例示したが、例えば音声の記録等、どの様な記録処理を対象としても良いし、例示した一方の記録処理のみを対象としても良い。
【００４２】
記録媒体として残高や持玉を記録する一般カードを例示したが、コインや紙状のレシート等、どのような記録媒体を対象としても良い。また、レシート等書換が困難な記録媒体の場合、記録媒体にはＩＤを記録するのみで、そのＩＤに対応付けて管理装置５で残高や持玉等を管理しても良い。
例示したカメラ７の構図等の設定情報は、予め設定されていれば遊技場管理者が任意に設定しても、予め管理装置５の製造メーカにて設定しても、外部（例えばチェーン店本部等）の管理サーバからダウンロードして設定しても良い。
例示した全ての遊技情報は入力した信号により直接的に特定しても演算式を利用して間接的に特定しても良い。また、数値、桁数、項目等は例示であり、どのような数値を採用しても良い。尚、以上と超過、以下と未満の表現についてはいずれの表現も実質的に同一であるため、特に区別した記載とはしていない。
【００４３】
対象となる遊技機は例示した通り、スロットマシンやパチンコ遊技機等が例示出来るが、遊技媒体を排出することなくデータ上のポイントを遊技に応じて変更する所謂封入式の遊技機等も想定されるため、玉やメダル等の遊技媒体や上記ポイントを包含する遊技価値という表現を適宜使用した。
貸出機２が行う処理の一部を中継装置３、或いは管理装置５等にて行っても良いし、管理装置５が行う処理の一部を中継装置３、或いは貸出機２等にて行っても良い。更に管理装置５と画像管理装置とを１体の管理装置にて兼用しても良いし、複数対の管理装置にて機能を分散しても良い。また、変形例を含む例示した構成をどのように組合わせても良いし、適宜構成を除外しても良い。
【符号の説明】
【００４４】
図面中、１は遊技機、２は貸出機（遊技機装置、開錠検出手段）、５は管理装置（開錠種特定手段、開錠記録処理手段、抑制手段、遊技情報特定手段）、６はモニタ（表示手段）である。
【図１】
2015054118.tif 000003
【図２】
2015054118.tif 000004
【図３】
2015054118.tif 000005
【図４】
2015054118.tif 000006
【図５】
2015054118.tif 000007
【図６】
2015054118.tif 000008
【図７】
2015054118.tif 000009
【図８】
2015054118.tif 000010
【図９】
2015054118.tif 000011
【図１０】
2015054118.tif 000012